【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
入力された画像から階調ヒストグラムを生成する生成手段と、
前記階調ヒストグラムから、度数の集中する階調値を検出し、第１階調値として出力する検出手段と、
前記階調ヒストグラムにおける、前記第１階調値を含む所定階調分の階調範囲である近傍階調範囲内の度数の総和を算出し、分布量として出力する算出手段と、
前記分布量が所定の閾値以下である場合に、前記第１階調値をそのまま出力し、前記分布量が前記所定の閾値より大きい場合に、前記第１階調値を補正して出力する補正手段と、
前記補正手段が出力する階調値に応じてγカーブを決定する決定手段と、
前記決定手段で決定されたγカーブを用いて前記入力された画像の階調を変換するγ変換手段と、
を有し、
補正後の第１階調値に応じて決定されるγカーブは、補正前の第１階調値に応じて決定されるγカーブを用いて階調が変換された画像に比べ、前記近傍階調範囲の階調性の低い画像を得るためのγカーブである
ことを特徴とする画像処理装置。
【請求項２】
前記補正手段は、前記分布量と前記所定の閾値の差が大きいほど前記近傍階調範囲の階調性のより低い画像を得るためのγカーブが決定されるように、前記第１階調値を補正する
ことを特徴とする請求項１に記載の画像処理装置。
【請求項３】
前記補正手段は、前記分布量が前記所定の閾値よりも大きい場合に、前記分布量から前記所定の閾値を減算し、該減算によって得られた値に所定のゲイン値を乗算し、該乗算によって得られた値を前記第１階調値に加算し、該加算によって得られた値を前記補正後の第１階調値として出力する
ことを特徴とする請求項１または２に記載の画像処理装置。
【請求項４】
前記生成手段は、前記入力された画像を複数の領域に分割し、前記領域毎に階調ヒストグラムを生成し、
前記検出手段は、前記領域毎の階調ヒストグラムのそれぞれから、度数の集中する階調値を検出し、前記領域毎に検出された階調値のいずれかを前記第１階調値として出力し、
前記算出手段は、前記入力された画像の１画面分の階調ヒストグラムにおける、前記近傍階調範囲内の度数の総和を算出し、分布量として出力する
ことを特徴とする請求項１〜３のいずれか１項に記載の画像処理装置。
【請求項５】
前記検出手段は、前記領域毎に検出された階調値のうち最も低階調側の階調値を、前記第１階調値として出力する
ことを特徴とする請求項４に記載の画像処理装置。
【請求項６】
前記検出手段は、前記領域毎に検出された階調値のうち最も高階調側の階調値を、前記第１階調値として出力する
ことを特徴とする請求項４に記載の画像処理装置。
【請求項７】
前記階調ヒストグラムは、前記入力された画像の輝度信号の階調ヒストグラムである
ことを特徴とする請求項１〜６のいずれか１項に記載の画像処理装置。
【請求項８】
前記階調ヒストグラムは、前記入力された画像のＲＧＢ信号の階調ヒストグラムであることを特徴とする請求項１〜６のいずれか１項に記載の画像処理装置。
【請求項９】
画像処理装置が、入力された画像から階調ヒストグラムを生成する生成ステップと、
前記画像処理装置が、前記階調ヒストグラムから、度数の集中する階調値を検出し、第１階調値として出力する検出ステップと、
前記画像処理装置が、前記階調ヒストグラムにおける、前記第１階調値を含む所定階調分の階調範囲である近傍階調範囲内の度数の総和を算出し、分布量として出力する算出ステップと、
前記画像処理装置が、前記分布量が所定の閾値以下である場合に、前記第１階調値をそのまま出力し、前記分布量が前記所定の閾値より大きい場合に、前記第１階調値を補正して出力する補正ステップと、
前記画像処理装置が、前記補正ステップで出力される階調値に応じてγカーブを決定する決定ステップと、
前記画像処理装置が、前記決定ステップで決定されたγカーブを用いて前記入力された画像の階調を変換するγ変換ステップと、
を有し、
補正後の第１階調値に応じて決定されるγカーブは、補正前の第１階調値に応じて決定されるγカーブを用いて階調が変換された画像に比べ、前記近傍階調範囲の階調性の低い画像を得るためのγカーブである
ことを特徴とする画像処理方法。
【請求項１０】
前記補正ステップでは、前記分布量と前記所定の閾値の差が大きいほど前記近傍階調範囲の階調性のより低い画像を得るためのγカーブが決定されるように、前記第１階調値が補正される
ことを特徴とする請求項９に記載の画像処理方法。
【請求項１１】
前記補正ステップでは、前記分布量が前記所定の閾値よりも大きい場合に、前記分布量から前記所定の閾値が減算され、該減算によって得られた値に所定のゲイン値が乗算され、該乗算によって得られた値が前記第１階調値に加算され、該加算によって得られた値が前記補正後の第１階調値として出力される
ことを特徴とする請求項９または１０に記載の画像処理方法。
【請求項１２】
前記生成ステップでは、前記入力された画像が複数の領域に分割され、前記領域毎に階調ヒストグラムが生成され、
前記検出ステップでは、前記領域毎の階調ヒストグラムのそれぞれから、度数の集中する階調値が検出され、前記領域毎に検出された階調値のいずれかが前記第１階調値として出力され、
前記算出ステップでは、前記入力された画像の１画面分の階調ヒストグラムにおける、前記近傍階調範囲内の度数の総和が算出され、分布量として出力される
ことを特徴とする請求項９〜１１のいずれか１項に記載の画像処理方法。
【請求項１３】
前記検出ステップでは、前記領域毎に検出された階調値のうち最も低階調側の階調値が、前記第１階調値として出力される
ことを特徴とする請求項１２に記載の画像処理方法。
【請求項１４】
前記検出ステップでは、前記領域毎に検出された階調値のうち最も高階調側の階調値が、前記第１階調値として出力される
ことを特徴とする請求項１２に記載の画像処理方法。
【請求項１５】
前記階調ヒストグラムは、前記入力された画像の輝度信号の階調ヒストグラムである
ことを特徴とする請求項９〜１４のいずれか１項に記載の画像処理方法。
【請求項１６】
前記階調ヒストグラムは、前記入力された画像のＲＧＢ信号の階調ヒストグラムであることを特徴とする請求項９〜１４のいずれか１項に記載の画像処理方法。
【請求項１７】
請求項９〜１６のいずれか１項に記載の画像処理方法の各ステップをコンピュータに実行させることを特徴とするプログラム。
【手続補正２】
【補正対象書類名】明細書
【補正対象項目名】発明の名称
【補正方法】変更
【補正の内容】
【発明の名称】画像処理装置、画像処理方法、及び、プログラム
【手続補正３】
【補正対象書類名】明細書
【補正対象項目名】０００７
【補正方法】変更
【補正の内容】
【０００７】
本発明の画像処理装置は、入力された画像から階調ヒストグラムを生成する生成手段と、階調ヒストグラムから、度数の集中する階調値を検出し、第１階調値として出力する検出手段と、階調ヒストグラムにおける、第１階調値を含む所定階調分の階調範囲である近傍階調範囲内の度数の総和を算出し、分布量として出力する算出手段と、分布量が所定の閾値以下である場合に、第１階調値をそのまま出力し、分布量が所定の閾値より大きい場合に、第１階調値を補正して出力する補正手段と、補正手段が出力する階調値に応じてγカーブを決定する決定手段と、決定手段で決定されたγカーブを用いて上記入力された画像の階調を変換するγ変換手段と、を有し、補正後の第１階調値に応じて決定されるγカーブは、補正前の第１階調値に応じて決定されるγカーブを用いて階調が変換された画像に比べ、近傍階調範囲の階調性の低い画像を得るためのγカーブであることを特徴とする。
【手続補正４】
【補正対象書類名】明細書
【補正対象項目名】０００８
【補正方法】変更
【補正の内容】
【０００８】
本発明の画像処理方法は、画像処理装置が、入力された画像から階調ヒストグラムを生成する生成ステップと、画像処理装置が、階調ヒストグラムから、度数の集中する階調値を検出し、第１階調値として出力する検出ステップと、画像処理装置が、階調ヒストグラムにおける、第１階調値を含む所定階調分の階調範囲である近傍階調範囲内の度数の総和を算出し、分布量として出力する算出ステップと、画像処理装置が、分布量が所定の閾値以下である場合に、第１階調値をそのまま出力し、分布量が所定の閾値より大きい場合に、第１階調値を補正して出力する補正ステップと、画像処理装置が、補正ステップで出力される階調値に応じてγカーブを決定する決定ステップと、画像処理装置が、決定ステップで決定されたγカーブを用いて上記入力された画像の階調を変換するγ変換ステップと、を有し、補正後の第１階調値に応じて決定されるγカーブは、補正前の第１階調値に応じて決定されるγカーブを用いて階調が変換された画像に比べ、近傍階調範囲の階調性の低い画像を得るためのγカーブであることを特徴とする。
本発明のプログラムは、上記画像処理方法の各ステップをコンピュータに実行させることを特徴とする。